【手続補正書】
【提出日】平成16年8月6日(2004.8.6)
【手続補正１】
【補正対象書類名】明細書
【補正対象項目名】特許請求の範囲
【補正方法】変更
【補正の内容】
【特許請求の範囲】
【請求項１】
複数の記録層を有する光ディスクの任意の記録層に光ビームを集光する光ピックアップと、
該光ビームの集光状態に基づくフォーカス誤差信号を出力するフォーカス誤差信号検出手段と、
該フォーカス誤差信号の振幅を検出する検出手段と、
該フォーカス誤差信号の振幅を可変するゲイン可変手段と、
該ゲイン可変手段のゲインの制御を行うゲイン制御手段と、
該光ビームを任意の記録層に集光するフォーカス位置制御手段とを備え、
該フォーカス誤差信号の振幅を検出する検出手段から得られる任意の記録層に基づく該フォーカス誤差信号の振幅を目標値の振幅とするように該ゲイン制御手段がフォーカスジャンプ動作中に該ゲイン可変手段のゲインを設定することを特徴とする光ディスク装置。
【請求項２】
請求項１記載の光ディスク装置において、
該光ビームを該光ディスクの所望の記録層に集光する際は、該記録層から得られるフォーカス誤差信号の振幅値を目標値とするように該ゲイン制御手段が該ゲイン可変手段のゲインを制御し、該ゲイン可変手段から出力されたフォーカス誤差信号に基づいて、該フォーカス位置制御手段が該光ビームを該所望の記録層に集光する制御を行うことを特徴とする光ディスク装置。
【請求項３】
請求項１記載の光ディスク装置において、
該光ディスクの層情報（再生面から何番目の記録層であるかの情報）を得る層情報検出手段を設け、
該層情報検出手段から得られる層情報に基づき、該フォーカス誤差信号の振幅を検出する検出手段から得られる任意の記録層に基づく該フォーカス誤差信号の振幅を目標値の振幅とするように、該ゲイン制御手段が該ゲイン可変手段のゲインを設定することを特徴とする光ディスク装置。
【請求項４】
請求項１項に記載の光ディスク装置において、
該フォーカス誤差信号の振幅を検出する手段は、
該フォーカス誤差信号の最大値を検出する最大値検出手段と、
該フォーカス誤差信号の最小値を検出する最小値検出手段と、
を備えることを特徴とする光ディスク装置。
【請求項５】
請求項１項に記載の光ディスク装置において、
該フォーカス誤差信号の振幅を検出する手段は、
該フォーカス誤差信号の最大値を２倍することで振幅を検出するか、
または、該フォーカス誤差信号の最小値を２倍することで振幅を検出することを特徴とする光ディスク装置。
【請求項６】
複数の記録層を有する光ディスクの任意の記録層に光ビームを集光するフォーカシング方法であって、
該光ビームの集光状態に基づくフォーカス誤差信号を出力するフォーカス誤差信号検出ステップと、
該フォーカス誤差信号の振幅を検出する検出ステップと、
該フォーカス誤差信号の振幅を可変するゲイン可変ステップと、
任意の記録層に基づく該フォーカス誤差信号の振幅を目標値の振幅とするように該ゲイン可変ステップのゲインをフォーカスジャンプ動作中に設定するゲイン制御ステップと、
該光ビームを任意の記録層に集光するフォーカス位置制御ステップとを備えることを特徴とするフォーカシング方法。
【請求項７】
請求項６記載のフォーカシング方法において、
該光ディスクの層情報（再生面から何番目の記録層であるかの情報）を得る層情報検出ステップ、
を備えることを特徴とするフォーカシング方法。
【請求項８】
請求項６記載のフォーカシング方法において、
該光ビームを該光ディスクの所望の記録層に集光する際は、該記録層から得られるフォーカス誤差信号の振幅値を目標値とするように該ゲイン制御ステップが該ゲイン可変ステップのゲインを制御し、該ゲイン可変ステップから出力されたフォーカス誤差信号に基づいて、該フォーカス位置制御ステップが該光ビームを該所望の記録層に集光する制御を行うことを特徴とするフォーカシング方法。
【請求項９】
ビームを多層光ディスクに集光させる光ピックアップと、
該光ビームの該多層光ディスクにおける集光状態に基づくフォーカス誤差信号を出力するフォーカス誤差検出手段と、
該フォーカス誤差検出手段から出力される信号振幅を可変する該多層光ディスクの記録層数と同数のゲイン可変手段と、
該ゲイン可変手段の出力を切り替えて出力する切り替え手段と、
該切り替え手段の出力と設定したレベルを比較し大小関係を表す信号を出力する比較手段と、
該切り替え手段の出力の最大値を検出する最大値検出手段と、
該切り替え手段の出力の最小値を検出する最小値検出手段と、
該光ビームを該多層光ディスクに集光するフォーカス位置制御手段とを備えた光ディスク装置。
【請求項１０】
請求項９に記載の光ディスク装置おいて、
該ゲイン可変手段に設定するゲインは、該多層光ディスクの各記録層から得られるフォーカス誤差信号の振幅値が目標値になるように設定することを特徴とする光ディスク装置。
【請求項１１】
請求項９に記載の光ディスク装置おいて、
該多層光ディスクの記録層数が２層の場合に、該ゲイン可変手段は第一のゲイン可変手段と第二のゲイン可変手段を備えており、
まず、該多層光ディスクの第一の記録層と第二の記録層から得られるフォーカス誤差信号の内、振幅値の大きい方のフォーカス誤差信号の振幅値を目標値となるように該第一のゲイン可変手段のゲインを設定し、
次に、該第一のゲイン可変手段の出力に基づいて該光ビームを該多層光ディスクの第一の記録層又は第二の記録層から得られるフォーカス誤差信号の内、振幅値の大きい方の記録層に集光し、
該多層光ディスクに記録されているデータを再生し、再生データから光ビームの集光位置が第一の記録層であるか第二の記録層であるかを検出し、
該光ビームの集光位置が第一の記録層の場合には光ビームの集光位置を第二の記録層の方向に移動し、該最小値検出手段の出力に基づいて該第二のゲイン可変手段の出力を目標値となるように該第二のゲイン可変手段のゲイン設定値を設定し、
また、該光ビームの集光位置が第二の記録層の場合には該光ビームの集光位置を第一の記録層の方向に移動し、該最大値検出手段の出力に基づいて該第二のゲイン可変手段の出力を目標値となるように該第二のゲイン可変手段のゲイン設定値を設定することを特徴とする光ディスク装置。
【請求項１２】
請求項９に記載の光ディスク装置おいて、
該切り替え手段は、光ビームの集光位置を該多層光ディスクの記録層間で移動させる際に、該ゲイン可変手段の出力を切り替えることを特徴とする光ディスク装置。
【手続補正２】
【補正対象書類名】明細書
【補正対象項目名】００５０
【補正方法】変更
【補正の内容】
【００５０】
また、本発明の光ディスク装置においては、複数の記録層を有する光ディスクの任意の記録層に光ビームを集光する光ピックアップと、該光ビームの集光状態に基づくフォーカス誤差信号を出力するフォーカス誤差信号検出手段と、該フォーカス誤差信号の振幅を検出する検出手段と、該フォーカス誤差信号の振幅を可変するゲイン可変手段と、該ゲイン可変手段のゲインの制御を行うゲイン制御手段と、該光ビームを任意の記録層に集光するフォーカス位置制御手段とを備え、該フォーカス誤差信号の振幅を検出する検出手段から得られる任意の記録層に基づく該フォーカス誤差信号の振幅を目標値の振幅とするようにゲイン制御手段がフォーカスジャンプ動作中にゲイン可変手段のゲインを設定するようにする。
【手続補正３】
【補正対象書類名】明細書
【補正対象項目名】００５２
【補正方法】変更
【補正の内容】
【００５２】
次に本発明のフォーカシング方法では、該光ビームの集光状態に基づくフォーカス誤差信号を出力するフォーカス誤差信号検出ステップと、該フォーカス誤差信号の振幅を検出する検出ステップと、該フォーカス誤差信号の振幅を可変するゲイン可変ステップと、任意の記録層に基づく該フォーカス誤差信号の振幅を目標値の振幅とするようにゲイン可変ステップのゲインをフォーカスジャンプ動作中に設定するゲイン制御ステップと、該光ビームを任意の記録層に集光するフォーカス位置制御ステップとを備えるものとする。